(57)【要約】      （修正有）【課題】複数のティッシュボックスを収納可能で、収納したティッシュボックスの視認が容易で、かつ、ティッシュボックスのティッシュボックスケースへの装着が容易である、ティッシュボックスケースを提供する。【解決手段】複数のティッシュボックス２を収納可能な容積を有する本体１０を具備し、上記本体１０は、長方形状の底面部４０と、該底面部４０の左右両側縁から上方に延設された左右両側面部と、該底面部４０の両端縁から上方に延設された両端面部３０と、該両側面部及び該両端面部３０の上方縁部により形成されてなる上方開口部１１とを有し、一方の側面部には、その上縁から下方にかけて設けられ、少なくとも上記ティッシュボックス２の１つ分の深さと同じか又はより深い深さを有し、且つその最大幅が上記ティッシュボックス２の端面の幅と同じか又はより広い切り込み部が設けられている。【選択図】図３
0003178796.tif 000002
【実用新案登録請求の範囲】
【請求項１】
ティッシュペーパーを収容したティッシュボックスを、収納するティッシュボックスケースであって、
複数のティッシュボックスを収納可能な容積を有する本体を具備し、
上記本体は、長方形状の底面部と、該底面部の左右両側縁から上方に延設された左右両側面部と、該底面部の両端縁から上方に延設された両端面部と、該両側面部及び該両端面部の上方開口部とを有し、
少なくとも一方の側面部には、その上縁から下方にかけて設けられ、少なくとも上記ティッシュボックス１つ分の深さと同じか又はより深い深さを有し、且つその最大幅が上記ティッシュボックスの端面の幅と同じか又はより広い切り込み部が設けられていることを特徴とするティッシュボックスケース。
【請求項２】
上記端面部の上方には持ち運び時に使用者の手指を挿入し得る把持開口部が設けられていることを特徴とする請求項１記載のティッシュボックスケース。
【考案の詳細な説明】
【技術分野】
【０００１】  本考案は、ティッシュボックスのケースに関するものであり、さらに詳しくは、収納したティッシュボックスの残量を容易に視認可能で、複数のティッシュボックスを容易に収納交換することが可能で、容易に持ち運びができる、ティッシュボックスケースに関する。
【背景技術】
【０００２】  ティッシュペーパーは、日常生活中での使用頻度が高く日常生活に不可欠なものである。
しかし、高い使用頻度であることから、ティッシュペーパーを使い切ったときに在庫が欠品していた等の問題も高頻度で生じる。【０００３】  ティッシュペーパーの欠品が生じる原因として、市販のティッシュペーパーの場合、多くの商品ではティッシュペーパーを収容したティッシュペーパーボックスとして提供されておりティッシュペーパーの残量が把握できないことや、ティッシュペーパーの使用場所と在庫の置き場所とが異なるため、家庭等で在庫の量を把握することが困難であることなどが、理由として挙げられる。【０００４】  この問題を解決するため、ティッシュペーパーの残量や在庫を把握しやすくするための物品が種々提案されている。【０００５】  例えば、市販されているティッシュボックスケースの一部の商品ではティッシュペーパーの在庫の欠品を避けるため透明のケースに詰め替えることにより、ティッシュペーパーの残量を把握できるようにしているものもある。
しかし、ティッシュボックスからティッシュペーパーを取り出し、ティッシュボックスケースに入れ替えるのは手間がかかる。また、ティッシュペーパーを取り出して使用することから衛生上も好ましくない。【０００６】  また、例えば特許文献１のような、ティッシュボックスの在庫の欠品の防止のため複数のティッシュボックスを収納可能なティッシュボックスケースもあるが、ボックスの出し入れに際しての操作性が悪く、ティッシュボックスの入れ替えの手間がかかる。【０００７】  また、例えば特許文献２のように残量を確認できるようにしたティッシュボックスケースもあるが、複数のティッシュボックスを収納することができない。【０００８】  また、例えば特許文献３のように横向きにティッシュボックスを置くティッシュボックスケースもあるが、この場合、ティッシュが横向きに出てしまい、ティッシュが床面に接触するなどして衛生面において問題が生じる。
【先行技術文献】
【特許文献】
【０００９】
【特許文献１】特許公開２０１０−０３６９６７公報
【００１０】
【特許文献２】実用新案第３００９７８１公報
【００１１】
【特許文献３】特許公開２００９−２５５９７３公報
【考案の概要】
【考案が解決しようとする課題】
【００１２】  特許文献１〜３のティッシュボックスケースでは、前記の課題を解決することはできておらず、上述の問題点を解消できるティッシュボックスケースの開発が要望されているのが現状である。
したがって、本考案の目的は、複数のティッシュボックスを収納可能で、収納されているティッシュボックスの個数の視認が容易で、ティッシュボックスの装填が容易である、ティッシュボックスケースを提供することにある。
【課題を解決するための手段】
【００１３】  本考案者は、上記課題を解消すべく鋭意検討した結果、
ティッシュボックスケースの上方にティッシュボックスの出し入れが可能な程度の開口を設けると共にその開口から形成された切り込みを設けることにより上記目的を達成し得ることを知見し、本考案を完成するに至った。【００１４】  すなわち、本考案は、下記考案を提供することにより、上記の目的を達成したものである。
１．ティッシュペーパーを収容したティッシュボックスを、収納するティッシュボックスケースであって、
複数のティッシュボックスを収納可能な容積を有する本体を具備し、
上記本体は、長方形状の底面部と、該底面部の左右両側縁から上方に延設された左右両側面部と、該底面部の両端縁から上方に延設された両端面部と、該両側面部及び該両端面部の上方縁部により形成されてなる上方開口部とを有し、
少なくとも一方の側面部には、その上縁から下方にかけて設けられ、少なくとも上記ティッシュボックス１つ分の深さと同じか又はより深い深さを有し、且つその最大幅が上記ティッシュボックスの端面の幅と同じか又はより広い切り込み部が設けられていることを特徴とするティッシュボックスケース。
２．上記端面部の上方には持ち運び時に使用者の手指を挿入し得る把持開口部が設けられていることを特徴とする請求項１記載のティッシュボックスケース。
【考案の効果】
【００１５】本考案のティッシュボックスは、複数のティッシュボックスを収納可能で、収納されているティッシュボックスの個数の視認が容易で、ティッシュボックスの装填が容易なものである。
【図面の簡単な説明】
【００１６】
【図１】  図１は、本考案のティッシュボックスケースの１実施態様を示す側面図である。
【図２】  図２は、本考案のティッシュボックスケースの１実施態様を示す端面図である。
【図３】  図３は、本考案のティッシュボックスケースの１実施態様を示す斜視図である。
【考案を実施するための形態】
【００１７】  以下、本考案のティッシュボックスケースについて図面を参照して詳細に説明する。
【００１８】（構造）
図１〜３に示す本考案のティッシュボックスケース１は、ティッシュペーパー（図示せず）を収容したティッシュボックス２を、収納するティッシュボックスケースであって、複数のティッシュボックス２を収納可能な容積を有する本体１０を具備する。
【００１９】  本体１０は、長方形状の底面部４０と、底面部４０の左右両側縁４１，４１から上方に延設された左右両側面部２０，２１と、底面部４０の両端縁４２，４２から上方に延設された両端面部３０と、両側面部２０，２１及び両端面部３０，３０の上方縁部により形成されてなる、平面視長方形状の上方開口部１１とを有する。
側面部２１には、その上縁から下方にかけて形成された切り込み部５０が設けられている。切り込み部５０は、両側面部２０，２１の両方に設けてもよい。
切り込み部５０の大きさは、少なくとも上記ティッシュボックス１つ分の深さと同じか又はより深い深さを有し、且つその最大幅が上記ティッシュボックスの端面の幅と同じか又はより広い切り込み部であるのが好ましい。
切り込み部５０の最大幅は１５〜２０ｃｍが好ましい。また、切り込み部５０の深さは、切り込み部５０の最下部の底面部からの高さｈが、設置したティッシュボックスを側方から目視できるようにするため、ティッシュボックス１個分より低い高さであることが好ましい。
本実施形態において切り込み部は半円状となされている。これに限定されず四角形状等種々形状とすることができる。
このように側面部に切り込み部５０を設けたことで、容易にティッシュペーパーの取出し、ティッシュボックス交換、及び、収納されたティッシュボックスの視認を行うことができる。
また、図２に示すように、端面部３０の上方には持ち運び用に使用者の手指を挿入し得る楕円形上の把持開口部６０が設けられている。これにより、ティッシュボックスケース１を容易に持ち運ぶことが可能である。
本体１０の底面部４０のサイズは、市販のティッシュボックス（通常幅２４０ｍｍ、奥行き１２０ｍｍ、高さ５０〜７０ｍｍ程度）のサイズより面積が大きく形成されており、ティッシュボックスを収容しやすくなっている。本体の高さは、市販のティッシュボックスを２または３個を設置可能な高さ（本実施形態では３個）であり、本実施形態では一番上のティッシュボックスは上方開口部１１より少し上方外方に突出するように形成されている。ティッシュボックスケース全体の高さは、高さ５ｃｍ程度の薄型のティッシュボックスの高さに合わせて１０〜１７ｃｍとするのが好ましく、１０又は１１ｃｍが特に好ましい。これによりすべての高さのティッシュボックスを複数個収納するように対応が可能となる。
【００２０】（形成材料）
本考案のティッシュボックスケースの形成材料は、木材、紙材、段ボール材、プラスチック類、金属などを利用することができ、特に質感や加工性の観点から木材が好ましい。本体を構成する底面部と、左右両側面部と、両端面部とは、接着剤などにより、結合されている。
【００２１】（使用方法）
本考案のティッシュボックスの使用法の一例を以下に示す。
ティッシュボックスケースにティッシュボックスを１個設置し、２個目のティッシュボックスは１個目のティッシュボックスの上に重ねるように設置する。同様にして、合計３個のティッシュボックスをティッシュボックスケースに設置する。ティッシュボックスの設置は、ティッシュボックスケースの上面が開放され、また側面部にちょうど手が入る大きさの切り込みがあり、ティッシュボックスに手を入れやすいため、簡単に設置を行うことができる。
ティッシュペーパーの使用は、最上に設置したティッシュボックスから行う。ティッシュボックスがケースにしっかり保持されているため使用しやすい。
最上に設置したティッシュペーパーを使い切ったときは、使い切ったティッシュペーパーボックスをティッシュペーパーボックスケースから外し、その下に設置済みのティッシュボックスからティッシュペーパーを使用する。
ティッシュペーパーを一度に大量に使ってしまうことにより使い切ってしまっても、設置済みのティッシュボックスが使用済みのティッシュボックスのすぐ下にあるので、すぐにティッシュペーパーの使用を再開できる。また、ティッシュボックスケースの上面が開放され、また側面部にちょうど手が入る大きさの切り込みがあり、ティッシュボックスに手を入れやすいため、使用済みティッシュボックスを簡単にケースから取り外すことができる。
２個目のティッシュペーパーボックスを使い切った場合も、前記と同様に、その下に設置済みのティッシュボックスからティッシュペーパーを使用できる。
また、設置済みのティッシュペーパーボックスの数は、側面部の切り込みから、目視で、確認することができ、便利である。
さらに、掃除のときなど、ティッシュボックスケースを移動させるとき、端面部に把持開口部が設けられているため、持ち運びがしやすい。
【００２２】（効果）
本考案のティッシュボックスケースは、上述のように、上方開口部及び側面部の切り込みを有するので、容易にティッシュペーパーの取出し、ティッシュボックス交換、及び、収納されたティッシュボックスの視認による在庫確認が可能である。
【００２３】  本考案のティシュボックスケースは、上述の実施形態に何ら制限されるものではなく、本考案の趣旨を逸脱しない範囲で種々変更可能である。
【産業上の利用可能性】
【００２４】  本考案のティッシュボックスケースはオフィス、一般家庭、飲食店等、現在、ティッシュボックスを使用しているあらゆる場所に於いて、欠品による不便を解消するために利用可能である。
【符号の説明】
【００２５】１  ティッシュボックスケース
２  ティッシュボックス
１０  本体
１１  上方開口部
２０  側面部（切り込みなし）
２１  側面部（切り込みあり）
ｈ    側面部の切り込み部の最下部の本体底面部からの高さ
３０  端面部
４０  底面部
５０  切り込み部
６０  把持開口部
【図１】
0003178796.tif 000003
【図２】
0003178796.tif 000004
【図３】
0003178796.tif 000005